(57)【特許請求の範囲】
【請求項１】
基材に、少なくとも第１のハーフトーン領域と第２のハーフトーン領域とが隣接するように複数配置されて可視画像と潜像画像が形成された印刷物であって、
前記第１のハーフトーン領域は、第１の色材により前記可視画像を形成する画像要素を有し、
前記第２のハーフトーン領域は、ランタノイド系希土類化合物を含有し、かつ、前記基材と等色の第２の色材又は透明の第２の色材により前記潜像画像を形成する潜像要素を有し、
前記第２のハーフトーン領域は、前記潜像要素と隣接する位置にカムフラージュ要素を更に有し、
前記カムフラージュ要素は、前記ランタノイド系希土類化合物を含まない第３の色材により、前記潜像要素における前記基材の隠ぺい率、濃度及び色相に合わせた網点面積率の前記カムフラージュ要素が形成されたことにより前記潜像要素と前記カムフラージュ要素が通常光下において等色として形成されたことを特徴とする潜像画像を有し、
前記印刷物を通常光下で観察すると、前記第２のハーフトーン領域に形成された前記潜像要素は、前記基材と等色又は透明として観察されることで、前記第１のハーフトーン領域の前記画像要素により形成された前記可視画像が観察され、
前記印刷物をカラー複写機で複写すると、前記可視画像が形成された領域上に重複して前記潜像画像が出現することを特徴とする潜像画像を有する印刷物。
【請求項２】
前記第１のハーフトーン領域に形成された前記画像要素の面積が異なることで階調を有する可視画像が形成され、前記第２のハーフトーン領域に形成された前記潜像要素の面積が異なることで階調を有する潜像画像が形成されたことを特徴とする請求項１記載の潜像画像を有する印刷物。
【請求項３】
ランタノイド系希土類化合物を含有する基材上に、少なくとも第１のハーフトーン領域と第２のハーフトーン領域とが隣接して複数配置されて可視画像と潜像画像が形成された印刷物であって、
前記基材上に、通常光下において前記基材と等色であり前記ランタノイド系希土類化合物を含まず、かつ、前記基材を通常光下から三波長光源下へ観察条件を変えても所定の値以上の色変化をさせない隠ぺい材料を用いて隠ぺい層が形成され、
前記隠ぺい層は、前記基材を隠ぺいする隠ぺい材料を施す領域及び前記基材を一部露出させる隠ぺい材料を施さない領域を有し、
前記隠ぺい材料を施す領域上に、前記第１のハーフトーン領域及び前記第２のハーフトーン領域が配置され、
前記第１のハーフトーン領域は、第１の色材により前記可視画像を形成する画像要素を有し、
前記第２のハーフトーン領域は、前記潜像画像を形成する潜像要素及びカムフラージュ要素を有し、
前記潜像要素及び前記隠ぺい材料を施さない領域は、同じ位置に配置され、
前記潜像要素は、前記ランタノイド系希土類化合物を含む色材及び前記ランタノイド系希土類化合物を含まない色材いずれも配置されず、かつ、前記隠ぺい材料を施さない領域と同じ大きさ及び同じ形状に配置され、
前記隠ぺい材料を施さない領域を介して、前記基材を一部露出させることで、前記潜像要素が形成され、
前記カムフラージュ要素は、前記ランタノイド系希土類化合物を含まない第３の色材により形成され、
前記印刷物を通常光下で観察すると、前記第２のハーフトーン領域に形成された前記潜像要素は、前記カムフラージュ要素と等色として観察されることで、前記第１のハーフトーン領域の前記画像要素により形成された前記可視画像のみが観察され、
前記印刷物をカラー複写機で複写すると、前記可視画像が形成された領域上に重複して前記潜像画像が出現することを特徴とする潜像画像を有する印刷物。
【請求項４】
データを入力する入力部、入力されたデータを処理する処理部、入力されたデータ及び処理されたデータを与えられて記憶する記憶部、データを出力する出力部を備えた印刷機を用いて、請求項１乃至３のいずれか一項に記載の潜像画像を有する印刷物を作製する方法であって、
前記可視画像に対応する第１の画像データを前記入力部から入力し、あるいは前記処理部において作製するステップと、
前記第１のハーフトーン領域に含まれる画像要素の位置、形状及び寸法を、前記可視画像を表現するように前記第１のハーフトーン領域のデータを前記処理部において網点化された可視画像として作製し、前記記憶部に格納するステップと、
前記潜像画像に対応する第２の画像データを前記入力部より入力し、あるいは前記処理部において作製するステップと、
複数の前記第２のハーフトーン領域のそれぞれの位置、形状及び寸法、またそれぞれの前記第２のハーフトーン領域に含まれる前記潜像要素の位置、形状及び寸法に関するマスクデータを前記入力部から入力し、あるいは前記処理部において作製するステップと、
前記第２の画像データに対し前記マスクデータを用いてマスク処理を行い、前記第２の画像要素が前記潜像画像を表現するように前記第２のハーフトーン領域のデータを前記処理部において網点化された潜像画像を作製し、前記記憶部に格納するステップと、
前記第１のハーフトーン領域のデータと前記第２のハーフトーン領域のデータとを合成した前記印刷物のデータを前記処理部において作製するステップと、
前記第２のハーフトーン領域は、前記カムフラージュ要素を有し、第２のハーフトーン領域のデータを作製するステップにおいて
前記基材上に形成される前記潜像要素の隠ぺい率、濃度及び色相のデータを前記入力部から入力し、前記入力されたデータを基に前記潜像要素と前記カムフラージュ要素を通常光下において等色として視認させるため、前記第３の色材により前記カムフラージュ要素を形成する網点面積率を決定するステップと、
前記処理部で作製された前記印刷物のデータを前記出力部から出力するステップとを備えることを特徴とする潜像画像を有する印刷物の作製方法。
【発明の詳細な説明】
【技術分野】
【０００１】
本発明は、紙幣、旅券、有価証券、カード及び貴重印刷物等の偽造防止及び改ざん防止機能が必要とされる潜像画像を有する印刷物に関するものである。
【背景技術】
【０００２】
近年、カラー複写機の高機能化及び高画質化に伴い、紙幣及び有価証券等の貴重印刷物の偽造品が出回り、深刻な問題となっている。そのため、従来から貴重印刷物には、複写機では再現することが困難な機能性インキや、網点構成から成る画像が多く用いられている。
【０００３】
機能性インキを用いた印刷物としては、ランタノイド系希土類化合物を含むインキで印刷された印刷物がある（例えば、特許文献１参照。）。ランタノイド系希土類化合物とは、可視光領域において４６０ｎｍ、５４０ｎｍ及び６５０ｎｍ付近に主要な吸収ピークを有する組成物である。このため、通常光下においては、薄い黄色として視認され、三波長蛍光灯を照射すると、濃い桃色として視認される。
【０００４】
前述の特許文献１においては、偽造防止印刷部としてランタノイド系希土類化合物を含むインキでベタ印刷することで形成し、色合わせ印刷部を偽造防止印刷部と同色のインキでベタ印刷することで形成する。通常光下においては、偽造防止印刷部及び色合わせ部は、単色のベタ印刷領域として視認されるが、三波長蛍光灯を照射することで、色合わせ印刷部のみが変色し、異なる色のベタ印刷領域として視認され、その色変化の有無により真偽判別を行うものである。
【０００５】
また、複製が困難な網点構成として、本出願人は、二つの異なる画像を同一平面上に網点画像として均等に配置する場合において、一般の商業印刷で使用されているシアン（Ｃ）、マゼンタ（Ｍ）、イエロー（Ｙ）及びブラック（Ｂｋ）の基本インキを用いて、通常光下で観察される可視画像と、赤外線光下で観察される潜像画像を生成した網点印刷物について出願している（例えば、特許文献２参照。）。
【０００６】
この印刷物は、一般の商業印刷で使用されているシアン（Ｃ）、マゼンタ（Ｍ）及びイエロー（Ｙ）が赤外線吸収特性を有しないため、これらを重ね合わせた混色ブラックと、紫外線領域から赤外線領域までの全域にわたり吸収を示すカーボンブラックを主体としたブラック（Ｂｋ）を用いて可視画像及び潜像画像を形成する網点を配置している。
【０００７】
前述のシアン（Ｃ）、マゼンタ（Ｍ）、イエロー（Ｙ）及びブラック（Ｂｋ）を用いて所定の配置規則に基づき印刷された網点印刷物は、通常光下で視認することができる可視画像内に、赤外線カメラ等の鑑定装置を用いて観察することができる潜像画像を埋め込むことができる。当該網点印刷物は、特殊なインキを用いる必要がないため、安価に作製することが可能であり、現在の写真製版装置での複製が不可能であることから、偽造防止効果に優れる。
【先行技術文献】
【特許文献】
【０００８】
【特許文献１】特許第４３７８７８９号公報
【特許文献２】特許第３５４４５３６号公報
【発明の概要】
【発明が解決しようとする課題】
【０００９】
しかしながら、特許文献１に開示されている印刷物は、偽造防止印刷部と色合わせ部を、任意の矩形やパターン等を別々のベタ領域として形成し、三波長蛍光灯を照射した際の変色の有無により真偽判別を行っている。そのことから、基材上に付与する際には、各印刷部を同一領域に任意の矩形やパターンのみならず、階調表現された可視画像及び潜像画像を形成する２種類の画像要素を互いに重なり合うことなく均等に配置することが困難であり、デザイン上の制約を受けるという問題がある。
【００１０】
また、特許文献２において開示された技術を用いて作製した印刷物を、カラー複写機を用いて複製することで得られる偽造品は、肉眼では、真正品と区別することができず、例えば、銀行及び入国管理審査等の各種窓口業務における検査担当者が、赤外線カメラ等の鑑定装置を用いて当該印刷物を照射した際の潜像画像の有無又は変色の有無により、初めて偽造品であることを確認することが可能となる。よって、各種窓口業務では、偽造防止技術に併せた鑑定装置を適宜準備する必要がある。
【００１１】
また、鑑定装置を用いているが、いずれも検査担当者が目視検査により確認することから、偽造品であることを見落とす可能性があるという問題がある。そこで、各種窓口業務では、検査担当者が鑑定装置を用いることなく、目視により瞬時にカラー複写機を用いて複製した偽造品であることを判別することが可能な偽造防止印刷物が求められている。
【００１２】
本発明は、上記課題の解決を目的とするものであり、カラー複写機で複製したものが偽造品であることを瞬時に判別することができ、かつ、デザイン上の制約を受けることのない潜像画像を有する印刷物を提供することにある。
【課題を解決するための手段】
【００１３】
本発明の潜像画像を有する印刷物は、基材に、少なくとも第１のハーフトーン領域と第２のハーフトーン領域とが隣接するように複数配置されて可視画像と潜像画像が形成された印刷物であって、第１のハーフトーン領域は、第１の色材により可視画像を形成する画像要素を有し、第２のハーフトーン領域は、ランタノイド系希土類化合物を含有し、かつ、基材と等色の第２の色材又は透明の第２の色材により潜像画像を形成する潜像要素を有し、印刷物を通常光下で観察すると、第２のハーフトーン領域に形成された潜像要素は、基材と等色又は透明として観察されることで、第１のハーフトーン領域の画像要素により形成された可視画像のみが観察され、印刷物をカラー複写機で複写すると、可視画像が形成された領域上に重複して潜像画像が出現することを特徴とする潜像画像を有する印刷物である。
【００１４】
また、本発明の潜像画像を有する印刷物における第２のハーフトーン領域は、潜像要素と隣接する位置にカムフラージュ要素を更に有し、カムフラージュ要素は、ランタノイド系希土類化合物を含まない第３の色材により、潜像要素における基材の隠ぺい率、濃度及び色相に合わせた網点面積率のカムフラージュ要素が形成されたことにより潜像要素とカムフラージュ要素が通常光下において等色として形成されたことを特徴とする潜像画像を有する印刷物である。
【００１５】
また、本発明の潜像画像を有する印刷物は、第１のハーフトーン領域に形成された画像要素の面積が異なることで階調を有する可視画像が形成され、第２のハーフトーン領域に形成された潜像要素の面積が異なることで階調を有する潜像画像が形成されたことを特徴とする潜像画像を有する印刷物である。
【００１６】
また、本発明の潜像画像を有する印刷物は、ランタノイド系希土類化合物を含有する基材上に、少なくとも第１のハーフトーン領域と第２のハーフトーン領域とが隣接して複数配置されて可視画像と潜像画像が形成された印刷物であって、前述した基材上に、通常光下において基材と等色でありランタノイド系希土類化合物を含まず、かつ、基材を通常光下から三波長光源下へ観察条件を変えても所定の値以上の色変化をさせない隠ぺい材料を用いて隠ぺい層が形成され、隠ぺい層は、基材を隠ぺいする隠ぺい材料を施す領域及び基材を一部露出させる隠ぺい材料を施さない領域を有し、隠ぺい材料を施す領域上に、第１のハーフトーン領域及び第２のハーフトーン領域が配置され、第１のハーフトーン領域は、第１の色材により可視画像を形成する画像要素を有し、第２のハーフトーン領域は、潜像画像を形成する潜像要素及びカムフラージュ要素を有し、潜像要素及び隠ぺい材料を施さない領域は、同じ位置に配置され、潜像要素は、ランタノイド系希土類化合物を含む色材及びランタノイド系希土類化合物を含まない色材いずれも配置されず、かつ、隠ぺい材料を施さない領域と同じ大きさ及び同じ形状に配置され、隠ぺい材料を施さない領域を介して、基材を一部露出させることで、潜像要素が形成され、カムフラージュ要素は、ランタノイド系希土類化合物を含まない第３の色材により形成され印刷物を通常光下で観察すると、第２のハーフトーン領域に形成された潜像要素は、カムフラージュ要素と等色として観察されることで、第１のハーフトーン領域の画像要素により形成された前記可視画像のみが観察され、印刷物をカラー複写機で複写すると、可視画像が形成された領域上に重複して潜像画像が出現することを特徴とする潜像画像を有する印刷物である。
【００１７】
また、本発明の潜像画像を有する印刷物の作製方法として、データを入力する入力部、入力されたデータを処理する処理部、入力されたデータ及び処理されたデータを与えられて記憶する記憶部、データを出力する出力部を備えた印刷機を用いて、前述した潜像画像を有する印刷物を作製する方法であって、可視画像に対応する第１の画像データを入力部から入力し、あるいは処理部において作製するステップと、第１のハーフトーン領域に含まれる画像要素の位置、形状及び寸法を、可視画像を表現するように第１のハーフトーン領域のデータを処理部において網点化された可視画像として作製し、記憶部に格納するステップと、潜像画像に対応する第２の画像データを入力部より入力し、あるいは処理部において作製するステップと、複数の第２のハーフトーン領域のそれぞれの位置、形状及び寸法、またそれぞれの第２のハーフトーン領域に含まれる潜像要素の位置、形状及び寸法に関するマスクデータを入力部から入力し、あるいは処理部において作製するステップと、第２の画像データに対しマスクデータを用いてマスク処理を行い、第２の画像要素が潜像画像を表現するように第２のハーフトーン領域のデータを処理部において網点化された潜像画像を作製し、記憶部に格納するステップと、第１のハーフトーン領域のデータと第２のハーフトーン領域のデータとを合成した印刷物のデータを処理部において作製するステップと、処理部で作製された印刷物のデータを出力部から出力するステップとを備えることを特徴とする潜像画像を有する印刷物の作製方法である。
【００１８】
また、本発明の潜像画像を有する印刷物における第２のハーフトーン領域にカムフラージュ要素を有する場合の作製方法である、第２のハーフトーン領域のデータを作製するステップにおいて、基材上に形成される潜像要素の隠ぺい率、濃度及び色相のデータを入力部から入力し、入力されたデータを基に潜像要素とカムフラージュ要素を通常光下において等色として視認させるため、第３の色材によりカムフラージュ要素を形成する網点面積率を決定するステップを更に有することを特徴とする潜像画像を有する印刷物の作製方法である。
【発明の効果】
【００１９】
本発明の潜像画像を有する印刷物は、通常光下において階調のある可視画像を視認することができ、かつ、印刷物をカラー複写機により複写した際には、出力物において可視画像を形成する画像要素と潜像画像を形成する潜像要素を重なり合うことなく均等に配置したことで、２つの異なる画像が同一領域内に出現する効果を得る。よって、作製した偽造品は、潜像画像が出現しているため、各種窓口へ持っていくことすらできない。仮に、持って行った場合において、検査担当者は、潜像画像が出現していることから、鑑定装置を用いずに、目視により瞬時に偽造品であることを判別することが可能となり、従来の複写防止印刷物と比較して、複写牽制機能が向上した印刷物となる。
【００２０】
また、本発明の潜像画像を有する印刷物は、特殊な網点構成により作製しているため、同一領域に任意の矩形やパターンのみならず、階調表現された可視画像及び潜像画像を形成する２種類の画像要素を互いに重なり合うことなく均等に配置することが容易であり、デザイン上の制約を受けることがなく、更には、偽造品を作製するために、各インキにより作製した領域を解析し、各版面を作製することは極めて困難であることから、格別の偽造防止効果を奏する。
【図面の簡単な説明】
【００２１】
【図１】本発明の潜像模様を有する印刷物における網点構成の一例を示す図
【図２】可視画像を形成する網点構成及び可視画像を示す図
【図３】潜像画像を形成する網点構成及び可視画像上に潜像画像が出現した状態を示す図
【図４】第１のハーフトーン領域３に形成する画像要素３ａ及び第２のハーフトーン領域４に形成する潜像要素４ａの形状の一例を示す図
【図５】第１の実施の形態における印刷物の作製に用いられる装置の構成を示すブロック図
【図６】第１の実施の形態における印刷物を作製する方法における手順を示すフローチャート
【図７】マスクデータを示す模式図
【図８】マスク処理を示す模式図
【図９】第１の実施の形態の印刷物を傾けて観察した場合に観察される可視状態を示す説明図
【図１０】第２の実施の形態の印刷物における網点構成の一例を示す図
【図１１】第２の実施の形態の可視画像を形成する網点構成及び可視画像を示す図
【図１２】第２の実施の形態における第２のハーフトーン領域を作製する手順を示すフローチャート
【図１３】第３の実施の形態の印刷物における隠ぺい層７の一部を拡大した図
【図１４】第３の実施の形態の印刷物における網点構成を示す断面図
【発明を実施するための形態】
【００２２】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２３】
（第１の実施の形態）
本発明の潜像画像を有する印刷物（以下「印刷物」という。）は、通常光下で観察される画像（以下「可視画像」という。）と、印刷物をカラー複写機により複写した印刷物（以下「複写物」という。）に出現する画像（以下「潜像画像」という。）が形成された印刷物であり、可視画像を形成する複数の画像要素３ａと潜像画像を形成する複数の潜像要素４ａを重なり合うことなく均等に配置することで、二つの独立した画像を形成する要素が同一の領域内に形成されたものである。
【００２４】
本発明の潜像画像は、ランタノイド系希土類化合物を含有し、かつ、通常光下で透明の色材又は基材と等色の色材を用いることで、通常光下では視認されず、複写物のみに潜像画像を出現させるものである。なお、本発明における「透明」とは、若干の色を有するものを含み、具体的には、薄い黄色等の色についても本発明における透明の範囲である。
【００２５】
前述したランタノイド系希土類化合物は、可視光領域において４６０ｎｍ、５４０ｎｍ及び６５０ｎｍ付近に主要な吸収ピークを有する組成物であるため、通常光下においては、透明として視認され、三波長光源下では、色が変化して視認される。一般的なカラー複写機においては、光源に三波長蛍光灯を用いているため、三波長光源等を照射した際に色が変化するランタノイド系希土類化合物を含有する色材を用いて潜像画像を形成することで、複写物のみに潜像画像を出現させることが可能となる。
【００２６】
ランタノイド系希土類化合物としては、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ及びＬｕから選択されるランタノイド系希土類元素を含む化合物であれば良いが、特に、通常光下において透明で、かつ、カラー複写機で複写された場合に赤み（濃い桃色）の色に変化するＨｏ２Ｏ３が好ましい。
【００２７】
また、本発明の網点構成を形成する色材としては、公知のグラビアインキ、スクリーンインキ、プロセスインキ、インクジェットプリンタ用インク等を使用することができる。また、基材２にそれぞれの領域を形成する方法としては、オフセット印刷方式、グラビア印刷方式、スクリーン印刷方式、フレキソ印刷方式、インクジェットプリンタ、レーザプリンタ等、特に限定されるものではない。
【００２８】
図１は、本発明の印刷物における基本的な網点構成の拡大図を示したものであり、第１のハーフトーン領域３に形成された画像要素３ａと、複写物８において潜像画像を形成する第２のハーフトーン領域４における潜像要素４ａを少なくとも備えている。また、第２のハーフトーン領域４に形成された潜像要素４ａは、通常光下で観察されない構成とする必要があるため、基材と等色又は透明の色材によって形成される。なお、透明の色材とは、第２のハーフトーン領域４に形成された潜像要素４ａが通常光下で観察されない構成であるならば、無色透明の色材又は有色透明の色材のどちらでも良い。
【００２９】
本発明の印刷物１において観察される可視画像と潜像画像について、図２及び図３を用いて説明する。図２（ａ）は、印刷物１を通常光下で観察した場合に観察される網点構成を拡大したものであり、第１のハーフトーン領域３に形成された画像要素３ａは、基材２と異なる色の一般的な色材によって形成されているため、可視画像を形成する網点要素３ａとして観察される。一方、第２のハーフトーン領域４に形成された潜像要素４ａは、基材２と等色又は透明の色材によって形成されているため、第２のハーフトーン領域４内において基材２と潜像要素４ａに色差が生じないことから、潜像画像を形成する潜像要素４ａが観察されない状態である。よって、印刷物１を通常光下で観察した場合、図２（ｂ）に示すように、第１のハーフトーン領域３の画像要素３ａにより形成された可視画像５が観察される。
【００３０】
図３（ａ）は、カラー複写機で複写した複写物８における網点構成の拡大図を示すものであり、第１のハーフトーン領域３に形成された画像要素３ａは、図２（ａ）に示した印刷物１を通常光下で観察した際と同様に、基材２と異なる色の一般的な色材によって形成されているため、可視画像５を形成する網点要素として観察されるが、第２のハーフトーン領域４における潜像要素４ａは、カラー複写機により複写された場合に色が変化するランタノイド希土類化合物を含有する色材により形成しているため、基材２と異なる色へと変化し、第２のハーフトーン領域４内の基材２と潜像要素４ａに色差が発生する。よって、図３（ｂ）に示すように、第１のハーフトーン領域３における画像要素３ａと、第２のハーフトーン領域４における潜像要素４ａを重なり合うことなく均等に配置したことで、同一の領域内に形成された２つの独立した可視画像５と潜像画像６を観察することができる。
【００３１】
本発明における等色とは、色差ΔＥが６未満のことを指し、色差とは、ＣＩＥ１９７６Ｌ＊ａ＊ｂ＊表色系のΔＥで定義するものとする。ＣＩＥ１９７６Ｌ＊ａ＊ｂ＊表色系とは、ＣＩＥ（国際照明委員会）が１９７６年に推奨した色空間のことであり、日本工業規格では、ＪＩＳ  Ｚ  ８７２９に規定されている。色差は、ある二色の色空間中における距離のことであり、ＣＩＥ１９７６Ｌ＊ａ＊ｂ＊表色系での色差は、二色のＬ＊の差、ａ＊の差、及びｂ＊の差をそれぞれ二乗して加え、その平方根をとることで求めることができる。
【００３２】
一般的に、色差ΔＥが６前後の場合においては、異なった色として視認される可能性がある。ただし、前述のとおり、本発明においては、第１のハーフトーン領域３及び第２のハーフトーン領域４は、肉眼ではそれぞれの領域を区別して視認することができない微細な網点により構成している。そのことから、前述のとおり、色差ΔＥが６未満であれば、通常光下において、肉眼で潜像要素４ａを視認することができず、かつ、潜像要素４ａ及び基材２は、等色として視認される。
【００３３】
一方、ランタノイド系希土類化合物を含有する色材によって形成された潜像要素４ａは、カラー複写機により複写された際に基材２と異なる色へと変化した状態として視認される。なお、本発明における異なる色とは、色差ΔＥが６以上のことを指し、色差ΔＥが６未満の場合においては、前述のとおり等色として視認される。
【００３４】
また、本発明の印刷物１における画像要素３ａ及び潜像要素４ａは、図４（ａ）のように、各々のハーフトーン領域の中心に形成された例で説明しているが、図４（ｂ）のように、各々のハーフトーン領域の中心を除く外側に形成することや、各々のハーフトーン領域を２つ以上に分割して形成することも可能であり、これらの配置としても同様の効果を得る。
【００３５】
次に、本実施の形態による印刷物１の作製に用いられる装置について、その構成を示した図５を用いて説明する。この作製装置は、入力部４０１、処理部４０２、記憶部４０３及び出力部４０４を備えている。入力部４０１は、本実施の形態の印刷物１の作製に必要なデータを入力し、処理部４０２に与える。処理部４０２は、与えられたデータを記憶部４０３に格納するとともに、印刷物１の作製に必要な演算処理及び画像処理等を行い、得られた結果を出力部４０４に与える。出力部４０４は、処理部４０２から与えられたデータを、外部の、例えば、図示されてない印刷機等に出力する。
【００３６】
このような作製装置を用いて、本実施の形態による印刷物１を作製する方法について、その手順を示した図６を用いて説明する。図６におけるステップＳ１１として、第１のハーフトーン領域３が形成する可視画像に対応する原画像として、第１の画像データである可視画像データを処理部４０２が作製するか、又は外部から可視画像データとして入力部４０１より入力し、処理部４０２を介して網点化された可視画像を記憶部４０３に格納する。次に、ステップＳ１２として、記憶部４０３に格納された可視画像データを基に、第１のハーフトーン領域３内に形成する画像要素３ａの位置、形状及び寸法を、処理部４０２を介して記憶部に格納する。
【００３７】
次に、ステップＳ１３として、第２のハーフトーン領域４が形成する潜像画像に対応する原画像として、第２の画像データである潜像画像データを処理部４０２が作製するか、又は外部から潜像画像データとして入力部４０１より入力し、処理部４０２を介して網点化された潜像画像を記憶部４０３に格納する。ステップＳ１４として第２のハーフトーン領域４のみをマスク処理したマスクデータを処理部４０２によって作製するか、又は外部からマスクデータとして入力部４０１より入力し、処理部４０２を介して記憶部４０３に格納する。ステップＳ１５として、記憶部４０３に格納された潜像画像データ及びマスク画像をもとに、第２のハーフトーン領域４内に形成する潜像要素４ａの位置、形状及び寸法を、処理部４０２を介して記憶部に格納する。
【００３８】
次に、ステップＳ１６として、前述までのステップで記憶部４０３に格納された第１のハーフトーン領域３のデータと、第２のハーフトーン領域４のデータを合成し、ステップＳ１７により、外部の印刷機等の出力部４０４から出力して網点印刷物が完成する。前述のステップＳ１６により、２つのデータを合成する方法としては、２つのデータに共通する位置として、少なくとも任意の三つの点を、各々のハーフトーン領域データにおけるそれぞれの基準点に設定することで、二つのデータを合成する方法を用いる。なお、基準点の設定方法についての詳細は、特願２０１０−２６７２２１号において記載されていることから、省略する。
【００３９】
図７は、マスクデータを示す模式図である。マスクデータは、複数の第２のハーフトーン領域４へ、潜像画像６を配置する際に用いる画像である。マスクデータは、あらかじめ作製しておいた、フォーマットデータを用いて生成される。フォーマットデータとは、本発明における印刷物１を生成する、複数の第１のハーフトーン領域３及び複数の第２のハーフトーン領域４を、どのように配置するかを設計することで、フォーマットデータが生成される。フォーマットデータは、複数の画素によって構成される。フォーマットデータにおける、複数の第１のハーフトーン領域３の配置箇所の画素を白画素とし、複数の第２のハーフトーン領域４の配置箇所の画素のみを黒画素とすることで、マスクデータが生成される。マスクデータは、各原画像データの基準点と対応する基準点（Ｐ１、Ｐ２、Ｐ３）を有する。
【００４０】
マスク処理とは、潜像画像データに対して、マスクデータの白画素に対応する部分を全て白画素に置き換える処理を施すことで、第２の画像データのうち、複数の第１のハーフトーン領域３に相当する部分を全て白色に置き換えるものである。それにより、第２の画像データは、複数の第２のハーフトーン領域４内に配置された潜像要素４ａのみから成る画像へと変換され、第１の画像データ及び第２の画像データを形成する複数の各網点を、重なり合うことなく印刷領域内へ均等配置することが可能となる。
【００４１】
図８は、一例として潜像画像を生成する、マスク処理を示す模式図である。マスク処理においては、処理部４０２へ入力した、図８（ａ）に示す、マスクデータの基準点（Ｐ１、Ｐ２、Ｐ３）と、図８（ｂ）に示す、マスクデータと対応する潜像画像データの基準点（Ｐ１’、Ｐ２’、Ｐ３’）とを合わせる。二つの画像を合わせた際に、同じ位置となる二つの画素のうち、マスクデータを構成する画素が黒画素ならば、潜像画像データを構成する画素を残す。また、マスクデータを構成する画素が白画素ならば、潜像画像データを白画素とする。マスク処理を行うことで、潜像画像データのうち、第２のハーフトーン領域４に相当しない部分、つまり、第１のハーフトーン領域３を形成する画素は白画素となる。よって、図８（ｃ）に示す、複数の第２のハーフトーン領域４から成る潜像画像データが生成される。
【００４２】
（第２の実施の形態）
第１の実施の形態においては、第２のハーフトーン領域４内に潜像要素４ａのみが配置されている。そのため、通常光下において潜像要素４ａを形成する色材は、透明又は基材と等色になるような色材とする必要がある。前述した第１の実施の形態で形成した印刷物を通常光下で観察した場合に、第２のハーフトーン領域４に形成する潜像要素４ａの基材の隠ぺい率、濃度及び色相や、潜像要素４ａ表面からの光沢等の影響により、基材２と等色の潜像要素４ａを形成することができない場合がある。そこで、潜像画像６の隠ぺい性を向上させるために、第２の実施の形態においては、第２のハーフトーン領域４にカムフラージュ要素４ｂを形成する。
【００４３】
まず、第２のハーフトーン領域４における潜像要素４ａと潜像要素４ａが形成されていない基材２表面が露出した部分を、通常光下において等色として観察できない場合について説明する。潜像要素４ａは、前述した第１の実施の形態と同様に、ランタノイド系希土類化合物を含有し、かつ、通常光下で透明又は基材と等色の色材により形成するが、このランタノイド系希土類化合物を含有する色材は、基材２への浸透等の影響により、色材自体の色が透明又は基材２と等色であっても、通常光下において基材２と等色の状態として潜像要素４ａを形成することができないことがあり、その場合、通常光下において印刷物１に形成された可視画像５と重なる位置にうっすらと潜像画像６が観察される状態となる（図示せず）。
【００４４】
また、ランタノイド系希土類化合物を含有する色材は光沢性を有する。よって、ランタノイド系希土類化合物を含有する色材を基材２へ付与した際に、通常光下において基材２と潜像要素４ａを等色として形成した場合であっても、潜像要素４ａ表面の光沢度と基材の光沢度が異なることで、通常光下で印刷物１を傾けて観察した場合に、図９のように、可視画像５上に潜像画像６がうっすらと観察されてしまうことがある。そのため、第２の実施の形態では、図１０の網点拡大図に示すように、第２のハーフトーン領域４内における潜像要素４ａの基材の隠ぺい率、濃度及び色相や、潜像要素４ａ表面からの光沢等の影響があっても潜像画像６を潜像化するためのカムフラージュ要素４ｂを形成したものであり、双方の要素が等色で、かつ、同等の光沢度として観察されるように形成することで、潜像要素をより隠ぺいすることができる。なお、第１の実施の形態において通常光下において、潜像要素４ａを基材２と等色の色材又は透明の第２の色材により形成するとしたが、第２の実施の形態における通常光下とは、図９に示すように、傾けて観察した場合も含む。よって、第２の実施の形態においては、基材２を水平で視認した場合と傾けて視認した場合において、潜像要素４ａと基材２は、等色（色差ΔＥが６未満）で視認されることとする。
【００４５】
図１１は、第２の実施の形態の印刷物１における可視画像５を形成する第１のハーフトーン領域３及び第２のハーフトーン領域４の観察状態を示す図である。前述の潜像画像６は、第２のハーフトーン領域４における潜像要素４ａにランタノイド系希土類化合物を含有する色材により形成し、カムフラージュ要素４ｂを前述のランタノイド系希土類化合物を含有せず、かつ、通常光下で前述のいずれか一方を形成した領域と等色及び同一の光沢度として観察されるように形成することで、通常光下で観察した場合には、第２のハーフトーン領域４に形成された潜像要素４ａとカムフラージュ要素４ｂが等色として観察されることから、通常光下であっても、潜像画像６を確実に潜像化できるとともに、印刷物１を傾けて観察した場合であっても潜像要素４ａが形成された領域とカムフラージュ要素４ｂが形成された領域に光沢差が生じないことから、印刷領域全面において、各々の第２のハーフトーン領域４が全て同一の濃度及び色相となり、第１のハーフトーン領域３における画像要素３ａにおいて形成された可視画像６が観察される。
【００４６】
前述したように第２のハーフトーン領域４に潜像要素４ａとカムフラージュ要素４ｂを形成することで、潜像画像６の隠ぺい性を向上することが可能になるが、ランタノイド系希土類化合物を含む色材により形成された潜像要素４ａと等色のカムフラージュ要素４ｂを形成するためには、新たな作製方法が必要であるため、第２のハーフトーン領域４に潜像要素４ａとカムフラージュ要素４ｂを形成する第２の実施の形態では、第２のハーフトーン領域４データを作製する新たなステップが追加される。
【００４７】
図１２により、第２のハーフトーン領域のデータを作製する新たなステップについて説明する。まず、図６のステップＳ１４までにより記憶部４０３に格納されたデータに基づき、図１２のステップＳ２１により、第２のハーフトーン領域４に形成する潜像要素４の位置、形状及び寸法を処理部により作製し、併せてカムフラージュ要素４ｂの位置、形状及び寸法を処理部により作製する。
【００４８】
次に、ステップＳ２２として、潜像要素４ａの基材隠ぺい性、濃度及び色相を入力部４０１より入力し、記憶部４０３に格納する。ステップＳ２３として、記憶部４０３に格納された基材隠ぺい性、濃度及び色相のデータに基づき、潜像要素４ａとカムフラージュ要素４ｂを等色とするためにカムフラージュ要素４ｂを形成する網点面積率を処理部４０２により作製し、記憶部４０３に格納する。
【００４９】
前述までのステップにより記憶部４０３に格納されたデータに基づき、ステップＳ２４にて、全ての第２のハーフトーン領域４データを作製し、以降については、前述した図６のステップＳ１６にて、第１のハーフトーン領域３のデータと合成され、ステップＳ１７にて印刷物を得る。
【００５０】
（第３の実施の形態）
第３の実施の形態について、その構成を示した図１３及び図１４を用いて説明する。第３の実施の形態では、前述した第１の実施の形態及び第２の実施の形態で共通する構成要件であった、第２のハーフトーン領域４の潜像要素４ａを形成する色材にランタノイド系希土類化合物を含有させることで、印刷物１を複写した際に潜像模様６を出現させる方法以外の構成であり、基材２自体にランタノイド系希土類化合物を含有させ、かつ、基材２表面を部分的に隠ぺいする隠ぺい層７を形成し、その隠ぺい層７上における第１のハーフトーン領域３上に画像要素３ａを形成し、第２のハーフトーン領域４における潜像要素４ａに対応する位置のみ、前述した隠ぺい層７をくり抜いたくり抜き部９を形成する構成である。
【００５１】
隠ぺい層７を形成する隠ぺい材料については、白インキ等を用いることが可能であるが、基材２に含有するランタノイド系希土類化合物の複写時の変色効果を隠ぺいすることが可能であればこれに限定されず、如何なる材料で形成しても良い。なお、白インキには、オフセット印刷用ＵＶインキとしてＤＩＣ株式会社製  ダイキュアＲＴＸ  白、インクジェット印刷用ＵＶインクとして東洋インキ製造株式会社製  ＬＩＯＪＥＴ  ＦＶ０３  ホワイト等がある。
【００５２】
図１３（ａ）は、隠ぺい層７の一部を拡大した模式図であるが、隠ぺい層７は、後述する第３の実施の形態における印刷物１の三つ目の層に対応するように、二つの領域から形成されている。この二つの領域は、前述のとおり、下層である基材２を三波長光源下で観察した場合の変色効果を隠ぺいするため、所定の隠ぺい面積率により形成され、、第１のハーフトーン領域３上に形成される第１の隠ぺい領域１０と、第２のハーフトーン領域４上に形成される第２の隠ぺい領域１１が形成される。
【００５３】
この隠ぺい層７を構成する第１の隠ぺい領域１０及び第２の隠ぺい領域１１は、それぞれの位置関係、形状及び大きさが、第１のハーフトーン領域３及び第２のハーフトーン領域４の網点構成に対応した構成となっている。
【００５４】
ここで、隠ぺい面積率とは、隠ぺい層７における第１の隠ぺい領域１０又は第２の隠ぺい領域１１の単位面積当りに隠ぺい材料を形成する面積の割合のことである。例えば、第１の隠ぺい領域１０及び第２の隠ぺい領域１１を形成する所定の隠ぺい面積率を８０％とした場合、第２のハーフトーン領域４の潜像要素４ａが配置される位置に形成されるくり抜き部９を除く、第２の隠ぺい領域１１の隠ぺい面積率が８０％であり、くり抜き部９の隠ぺい面積率が０％の状態である。
【００５５】
次に、第２のハーフトーン領域４における潜像要素４ａとして形成されるくり抜き部９について説明する。くり抜き部９は、第２の隠ぺい領域１１を形成している一つの要素であり、第２の隠ぺい領域１１内に形成されており、図１３（ａ）のＸ１−Ｘ２における（拡大）断面図である、図１３（ｂ）に示すように、くり抜き部９には、隠ぺい層７が施されていない。したがって、印刷物１を上方から観察すると、このくり抜き部９からは、隠ぺい層７の下の基材２が確認されることとなる。
【００５６】
前述した隠ぺい層７における第１の隠ぺい領域１０上に第１のハーフトーン領域３における画像要素３ａが形成され、第２の隠ぺい領域１１上に第２のハーフトーン領域４における潜像要素４ａ及びカムフラージュ要素４ｂが形成されるが、第２のハーフトーン領域４における潜像要素４ａは、下層の隠ぺい層７をくり抜いたくり抜き部９と対応した位置及び形状としていることから、第２のハーフトーン領域４についても、色材を形成しない、いわゆる、くり抜き状態として形成され、カムフラージュ要素４ｂは、潜像要素４ａである基材２表面の色と等色となるように、ランタノイド系希土類化合物を含有しない色材により形成される。
【００５７】
ここで、前述した第１の実施の形態及び第２の実施の形態の網点構成と、第３の実施の形態における網点構成の違いを比較するため、比較例として、第２の実施の形態の印刷物１における網点構成について、図１４（ａ）の１つの第１のハーフトーン領域３と第２のハーフトーン領域４を拡大した断面図を用いて説明する。第２の実施の形態における印刷物１は、基材２上に複数の第１のハーフトーン領域３と第２のハーフトーン領域４を有し、第１のハーフトーン領域３には、可視画像５を形成する画像要素３ａを有し、第２のハーフトーン領域４には、潜像画像６の画像部を形成する潜像要素４ａと通常光下で潜像要素４ａをカムフラージュするカムフラージュ要素４ｂを有する。
【００５８】
図１４（ａ）のように、基材２上の第１のハーフトーン領域３内に画像要素３ａが形成され、第２のハーフトーン領域４上に潜像要素４ａとカムフラージュ要素４ｂを形成することで、可視光下では、第２のハーフトーン領域４を形成する潜像要素４ａとカムフラージュ要素４ｂが等色として観察され、第１のハーフトーン領域３に形成した画像要素３ａが観察されることから、可視画像５が観察されるものである。
【００５９】
一方、第３の実施の形態では、基材２自体にランタノイド系希土類化合物を含有させることで複写物８に潜像模様６を出現させる構成であるため、図１４（ｂ）に示す１つの第１のハーフトーン領域３と第２のハーフトーン領域４を拡大した断面図のように、基材２上の第２のハーフトーン領域４における潜像要素４ａを形成する位置にくり抜き部９を形成した隠ぺい層７を形成し、その上に、第１のハーフトーン領域３の画像要素３ａと第２のハーフトーン領域４のカムフラージュ要素４ｂを形成した構成である。なお、基材上に形成した隠ぺい層７と潜像要素４ａが等色の場合については、カムフラージュ要素４ｂを形成しない場合もある。
【００６０】
前述のカムフラージュ要素４ｂは、隠ぺい層７と同様に、第２のハーフトーン領域４における潜像要素４ａの形状に合わせて内部をくり抜いた状態で形成され、さらに、印刷物１を可視光下で観察した場合に、基材２と等色として観察される色材によって形成される。なお、第２のハーフトーン領域４において、潜像要素４ａには印刷を行わない、いわゆる、第２のハーフトーン領域４において、潜像要素４ａをくり抜いた状態とすることで、潜像要素４ａは、隠ぺい層７が形成されていない領域を介して、ランタノイド系希土類化合物を含有する基材２の表面が露出しているため、結果的に、潜像要素４ａは、ランタノイド系希土類化合物を含有する色材により形成されていることとなる。なお、第２の隠ぺい層１１に形成するくり抜き部９は、第２の隠ぺい層１１よりも隠ぺい面積率が低い隠ぺい層７を設けることも可能である。例えば、第２の隠ぺい層１１におけるカムフラージュ要素４ｂが積層される領域の隠ぺい面積率を８０％とし、潜像要素４ａが積層（実際には、くり抜き状態）される領域の隠ぺい面積率を２０％とすることで、三波長光源下で観察した場合に潜像要素４ａの下層に位置する隠ぺい面積率が２０％の隠ぺい層７は、基材２の変色効果を隠ぺいすることができないため、結果的に潜像模様６が観察される印刷物１とすることができる。
【００６１】
第３の実施の形態により構成された印刷物１を可視光下で観察した場合、第２のハーフトーン領域４における隠ぺい層７をくり抜いた潜像要素４ａとカムフラージュ要素４ｂは、全て同一の濃度及び色相として観察されることから、第１のハーフトーン領域３に形成された画像要素３ａによって形成された可視画像５が観察される。一方、印刷物を複写した複写物８は、基材２表面が露出している潜像要素４ａの色が変化することから、複数の第２のハーフトーン領域４の潜像要素４ａとカムフラージュ要素４ｂの色が異なることから、可視画像５を形成した画像要素３ａと重なり合うことなく均等配置した潜像要素４ａにより形成された潜像画像６が可視画像と重畳する位置に、潜像画像６が出現することから、複写物８を偽造品として用いることを不可能な状態とすることができる。
【符号の説明】
【００６２】
１          印刷物
２          基材
３          第１のハーフトーン領域
３ａ          画像要素
４          第２のハーフトーン領域
４ａ          潜像要素
４ｂ          カムフラージュ要素
５          可視画像
６          潜像画像
７          隠ぺい層
８          複写物
９          くり抜き部
１０          第１の隠ぺい領域
１１          第２の隠ぺい領域
【図１】
0005707595.tif 000002
【図２】
0005707595.tif 000003
【図３】
0005707595.tif 000004
【図４】
0005707595.tif 000005
【図５】
0005707595.tif 000006
【図６】
0005707595.tif 000007
【図７】
0005707595.tif 000008
【図８】
0005707595.tif 000009
【図９】
0005707595.tif 000010
【図１０】
0005707595.tif 000011
【図１１】
0005707595.tif 000012
【図１２】
0005707595.tif 000013
【図１３】
0005707595.tif 000014
【図１４】
0005707595.tif 000015